(57)【特許請求の範囲】
【請求項１】
電気絶縁性のブロック体に、対をなす第１、第２の信号コンタクト部材と、グランドコンタクト部材とが、交互に並んで組み込まれている構造であり、該ブロック体の背面側に、該第１、第２の信号コンタクト部材の一部である第１、第２の信号ワイヤ接続用部分が突き出しており、且つ、前記グランドコンタクト部材の板状部及び該板状部の縁のドレンワイヤ接続用部分が突き出している構成を有するコンタクト組立体と、
第１、第２の信号ワイヤとドレンワイヤとを有するペア電線を複数本有する構造である平衡伝送用ケーブルとを有し、
該平衡伝送用ケーブルの端の前記第１、第２の信号ワイヤが夫々前記第１、第２の信号ワイヤ接続用部分に接続され、前記ドレンワイヤが前記ドレンワイヤ接続用部分に接続された構成の平衡伝送用ケーブルコネクタであって、
電気絶縁性の板状の部材であって、前記第１の信号ワイヤ接続用部分に対応する形状の第１の溝部と、前記第２の信号ワイヤ接続用部分に対応する形状の第２の溝部と、前記グランドコンタクト部材の前記板状部に対応する形状のスリットを有するスペーサ部材を有し、
該スペーサ部材が、前記ブロック体の背面側に取り付けてあり、前記第１の信号ワイヤ接続用部分が前記第１の溝部に、前記第２の信号ワイヤ接続用部分が前記第２の溝部に、前記板状部が前記スリットに夫々嵌合して位置を規制されており、
位置を規制されている前記第１、第２の信号ワイヤ接続用部分に夫々第１、第２の信号ワイヤが接続されており、且つ、位置を規制されているドレンワイヤ接続用部分にドレンワイヤが接続されている構成とし、
前記第１、第２の信号コンタクト部材の前記第１、第２の信号ワイヤ接続用部分は、水平板部と垂直の側板部とよりなり、断面がＬ字形状であり、且つ、クランク曲げ部によって中央部に対して前記側板部に垂直の方向に偏倚している構成であり、
前記第１、第２の信号ワイヤは、上記Ｌ字形状の内側のコーナ部に押し当てられて一義的に位置を決定されており、且つ、前記第１、第２の信号コンタクト部材のコンタクト部と整列している構成としたことを特徴とする平衡伝送用ケーブルコネクタ。
【請求項２】
電気絶縁性のブロック体に、対をなす第１、第２の信号コンタクト部材と、グランドコンタクト部材とが、交互に並んで組み込まれている構造であり、該ブロック体の背面側に、該第１、第２の信号コンタクト部材の一部である第１、第２の信号ワイヤ接続用部分が突き出しており、且つ、前記グランドコンタクト部材の板状部及び該板状部の縁のドレンワイヤ接続用部分が突き出している構成を有するコンタクト組立体と、
第１、第２の信号ワイヤとドレンワイヤとを有するペア電線を複数本有する構造である平衡伝送用ケーブルとを有し、
該平衡伝送用ケーブルの端の前記第１、第２の信号ワイヤが夫々前記第１、第２の信号ワイヤ接続用部分に接続され、前記ドレンワイヤが前記ドレンワイヤ接続用部分に接続された構成の平衡伝送用ケーブルコネクタであって、
電気絶縁性の板状の部材であって、前記第１の信号ワイヤ接続用部分に対応する形状の第１の溝部と、前記第２の信号ワイヤ接続用部分に対応する形状の第２の溝部と、前記グランドコンタクト部材の前記板状部に対応する形状のスリットを有するスペーサ部材を有し、
該スペーサ部材が、前記ブロック体の背面側に取り付けてあり、前記第１の信号ワイヤ接続用部分が前記第１の溝部に、前記第２の信号ワイヤ接続用部分が前記第２の溝部に、前記板状部が前記スリットに夫々嵌合して位置を規制されており、
位置を規制されている前記第１、第２の信号ワイヤ接続用部分に夫々第１、第２の信号ワイヤが接続されており、且つ、位置を規制されているドレンワイヤ接続用部分にドレンワイヤが接続されている構成とし、
前記ブロック体は、両端側から背面側に突き出ている一対の腕部を有し、
前記スペーサ部材は、その両端側から延びている突き出し腕部を有し、
前記スペーサ部材は、その両端側を前記一対の腕部によって支持されて、且つ、前記一対の突き出し腕部を前記ブロック体の一対のガイド溝に嵌合されて取り付けてあり、
且つ、前記一対の突き出し腕部は長さが相違し、且つ、前記一対のガイド溝は長さが相違し、前記スペーサ部材は所定の向きと相違する向きでの取り付けが制限される構成としたことを特徴とする平衡伝送用ケーブルコネクタ。
【請求項３】
請求項１に記載の平衡伝送用ケーブルコネクタにおいて、
前記グランドコンタクト部材の前記ドレンワイヤ接続用部分は、Ｕ字形状であり、
前記ドレンワイヤは、前記ドレンワイヤ接続用部分内に押し当てられて一義的に位置を決定されている構成としたことを特徴とする平衡伝送用ケーブルコネクタ。
【請求項４】
請求項１に記載の平衡伝送用ケーブルコネクタにおいて、
前記ブロック体は、両端側から背面側に突き出ている一対の腕部を有し、
前記スペーサ部材は、その両端側を前記一対の腕部によって支持されて前記ブロック体に取り付けてある構成としたことを特徴とする平衡伝送用ケーブルコネクタ。
【請求項５】
請求項１に記載の平衡伝送用ケーブルコネクタにおいて、
前記第１、第２の信号コンタクトとグランドコンタクトとが組み込まれているブロック体及び前記スペーサ部材を囲むシールドカバー組立体と、
前記シールドカバー組立体を覆うアウタカバーと、
前記平衡伝送用ケーブルの前記シールドカバー組立体への接続部分を保護するフードとを有し、
前記アウタカバーは、一端が開口である略箱形状であり、
前記フードは、張り出し部を有する構成であり、
前記アウタカバーは、前記フードと共に、前記平衡伝送用ケーブルの側から前記シールドカバー組立体を覆うように嵌合してあり、前記張り出し部が前記アウタカバーの内側に位置している構成としたことを特徴とする平衡伝送用ケーブルコネクタ。
【請求項６】
請求項１に記載の平衡伝送用ケーブルコネクタにおいて、
前記第１、第２の信号コンタクトとグランドコンタクトとが組み込まれているブロック体及び前記スペーサ部材を囲むシールドカバー組立体と、
前記シールドカバー組立体を覆うアウタカバーと、
前記平衡伝送用ケーブルの前記シールドカバー組立体への接続部分を保護するフードとを有し、
前記アウタカバー及び前記フードが、前記シールドカバー組立体の周面にポッティングされた合成樹脂によって形成してある構成としたことを特徴とする平衡伝送用ケーブルコネクタ。
【請求項７】
請求項１に記載の平衡伝送用ケーブルコネクタにおいて、
前記コンタクト組立体は、ロックアーム部材を有し、
該ロックアーム部材は、その先端に、前記平衡伝送用ケーブルコネクタが接続される基板側コネクタのスリットと係止されるフック部を有し、
該フック部は、その係止する側の縁が、前記平衡伝送用ケーブルコネクタの先端の側とは逆の方向に傾斜している構成としたことを特徴とする平衡伝送用ケーブルコネクタ。
【請求項８】
請求項１に記載の平衡伝送用ケーブルコネクタにおいて、
前記コンタクト組立体は、ロックアーム部材を有し、
該ロックアーム部材は、その先端に、前記平衡伝送用ケーブルコネクタが接続される基板側コネクタのスリットと係止されるフック部を有し、且つ、途中の部位に突起部を有し、
前記コンタクト組立体を覆うシールドカバー組立体を有し、
押し付け操作して前記突起部を押し下げて前記フック部を変位させる操作部を有し、
該操作部は、前記シールドカバー組立体の上側に位置決めされて配された操作部材よりなり、
該操作部材は、ポッティング又はアウトサート成形によって前記シールドカバー組立体を覆うように形成されたアウタカバーの一部によって、前記シールドカバー組立体に取り付けられている構成としたことを特徴とする平衡伝送用ケーブルコネクタ。
【請求項９】
請求項１に記載の平衡伝送用ケーブルコネクタにおいて、
前記コンタクト組立体を覆うシールドカバー組立体を有し、
アウトサート成形によって前記シールドカバー組立体を覆うように形成されたアウタカバーを有し、
前記シールドカバー組立体の内部のうち前記平衡伝送用ケーブルが延びている側に、合成樹脂の入り込みを防止するインナーキャップを有する構成としたことを特徴とする平衡伝送用ケーブルコネクタ。
【請求項１０】
請求項１に記載の平衡伝送用ケーブルコネクタにおいて、
前記ドレンワイヤ接続用部分は、前記第１、第２の信号ワイヤ接続用部分と前記ドレンワイヤ接続用部分とが並んでいる方向上に、千鳥状に配置してある構成としたことを特徴とする平衡伝送用ケーブルコネクタ。
【請求項１１】
プリント回路基板上に実装してあり、請求項１に記載の平衡伝送用ケーブルコネクタが接続される基板側コネクタであって、
コネクタ本体と、金属ガスケットと、シールド部材とよりなり、
該コネクタ本体は、電気絶縁性のブロック体に第１、第２の信号コンタクト部材とグランドコンタクト部材とが並んで組み込んであるコンタクト組立体と、該コンタクト組立体を覆うシールドボディとよりなり、
前記金属ガスケットは、板ばね状の複数のコンタクト部を有し、前記シールドボディの前面側に取り付けてあり、
前記シールド部材は、天板部と、左右の側板部と、背面板部とを有する略箱形状であり、前記コネクタ本体を覆って該コネクタ本体に取り付けてある構成としたことを特徴とする基板側コネクタ。
【発明の詳細な説明】
【技術分野】
【０００１】
本発明は平衡伝送用ケーブルコネクタに係り、特にペア電線の数が数本と少ない平衡伝送用ケーブルに適用される平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、多く採用されつつある。機器と機器との間でデータを平衡伝送する経路を形成するために、平衡伝送用ケーブルコネクタが使用される。平衡伝送用ケーブルコネクタは、平衡伝送用ケーブルの端にシールドされた構造のコネクタを備えた構成である。
【背景技術】
【０００３】
図１及び図２は、従来の平衡伝送用ケーブルコネクタ１０を示す。Ｘ１−Ｘ２、Ｙ１−Ｙ２、Ｚ１−Ｚ２は夫々平衡伝送用ケーブルコネクタ１０の幅方向、長手方向、高さ方向である。
【０００４】
平衡伝送用ケーブル２０は、図３に併せて示すように、外部被覆２７と遮蔽網線２８とよりなる二重被覆構造のチューブの内部に多数本のペア電線２１が収まっている構造である。各ペア電線２１は、平衡信号伝送用の対をなす第１、第２の被覆信号ワイヤ２２−１、２２−２とドレンワイヤ２５とが螺旋状に巻かれた金属製のテープによって束ねられている構造である。図６に示すように、ペア電線２１の端からは、第１、第２の被覆信号ワイヤ２２−１、２２−２とドレンワイヤ２５とが延びており、第１、第２の被覆信号ワイヤ２２−１、２２−２の先端は処理されて第１、第２の信号ワイヤ２３−１、２３−２が裸にされて露出している。第１、第２の信号ワイヤ２３−１、２３−２がペア線を構成する。
【０００５】
平衡伝送用ケーブルコネクタ１０は、図１及び図２に示すように、コンタクト組立体１１のＹ２側に中継基板１２が固定してあり、平衡伝送用ケーブル２０の端より延びている多数本のペア電線２１より更に延びている第１、第２の信号ワイヤ２３−１、２３−２及びドレンワイヤ２５が中継基板１２のＹ２側の端子に半田付け接続してあり、シールドカバー３１、３２が、コンタクト組立体１１、中継基板１２及び平衡伝送用ケーブル２０の端の部分を覆っている構成である。この平衡伝送用ケーブルコネクタ１０にあっては、コンタクト組立体１１、中継基板１２及び平衡伝送用ケーブル２０の端の部分が、データの伝送路を形成する。
【特許文献１】特開２００３−０５９５９３号公報
【発明の開示】
【発明が解決しようとする課題】
【０００６】
上記の平衡伝送用ケーブルコネクタ１０における隣り合うデータ伝送路間のシールドについてみると、中継基板１２の部分に問題を有している。中継基板１２は、基板の上面と下面とにＹ１−Ｙ２に延在する配線パターンがＸ１−Ｘ２方向上並んで形成してあり、同じ位置の上面側の配線パターンと下面側の配線パターンとが対を形成し、この配線パターン対がＸ１−Ｘ２方向上並んで形成してある構造である。よって、その構造上、Ｘ１−Ｘ２方向で隣り合う配線パターン対の間を、コンタクト組立体１１の部分と同程度に、良好にシールドすることが難しいという問題がある。
【０００７】
近年、コンピュータ及びサーバの取り扱う信号が高速となりつつあり、中継基板１２の部分のシールド性が低いことに起因する伝送特性への悪影響が無視できなくなって来つつある。
【０００８】
また、製造コストの面から、平衡伝送用ケーブルコネクタは組み立て作業が効率が良く行われて生産性の良い構造であることが求められる。
【０００９】
本発明は、上記の点に鑑みなされたものであり、高速信号の伝送特性の向上を図った平衡伝送用ケーブルコネクタを提供することを目的とする。
【課題を解決するための手段】
【００１０】
そこで、上記課題を解決するため、本発明は、電気絶縁性のブロック体に、対をなす第１、第２の信号コンタクト部材と、グランドコンタクト部材とが、交互に並んで組み込まれている構造であり、該ブロック体の背面側に、該第１、第２の信号コンタクト部材の一部である第１、第２の信号ワイヤ接続用部分が突き出しており、且つ、前記グランドコンタクト部材の板状部及び該板状部の縁のドレンワイヤ接続用部分が突き出している構成を有するコンタクト組立体と、
第１、第２の信号ワイヤとドレンワイヤとを有するペア電線を複数本有する構造である平衡伝送用ケーブルとを有し、
該平衡伝送用ケーブルの端の前記第１、第２の信号ワイヤが夫々前記第１、第２の信号ワイヤ接続用部分に接続され、前記ドレンワイヤが前記ドレンワイヤ接続用部分に接続された構成の平衡伝送用ケーブルコネクタであって、
電気絶縁性の板状の部材であって、前記第１の信号ワイヤ接続用部分に対応する形状の第１の溝部と、前記第２の信号ワイヤ接続用部分に対応する形状の第２の溝部と、前記グランドコンタクト部材の前記板状部に対応する形状のスリットを有するスペーサ部材を有し、
該スペーサ部材が、前記ブロック体の背面側に取り付けてあり、前記第１の信号ワイヤ接続用部分が前記第１の溝部に、前記第２の信号ワイヤ接続用部分が前記第２の溝部に、前記板状部が前記スリットに夫々嵌合して位置を規制されており、
位置を規制されている前記第１、第２の信号ワイヤ接続用部分に夫々第１、第２の信号ワイヤが接続されており、且つ、位置を規制されているドレンワイヤ接続用部分にドレンワイヤが接続されている構成とし、
前記第１、第２の信号コンタクト部材の前記第１、第２の信号ワイヤ接続用部分は、水平板部と垂直の側板部とよりなり、断面がＬ字形状であり、且つ、クランク曲げ部によって中央部に対して前記側板部に垂直の方向に偏倚している構成であり、
前記第１、第２の信号ワイヤは、上記Ｌ字形状の内側のコーナ部に押し当てられて一義的に位置を決定されており、且つ、前記第１、第２の信号コンタクト部材のコンタクト部と整列している構成としたことを特徴とする。
【発明の効果】
【００１１】
本発明によれば、第１には、スペーサ部材によって、第１、第２の信号ワイヤ接続用部分及びドレンワイヤ接続用部分の位置規制を簡単に行うことが出来る。
【００１２】
第２には、位置を規制されている第１、第２の信号ワイヤ接続用部分に第１、第２の信号ワイヤが接続されており、且つ、位置を規制されているドレンワイヤ接続用部分にドレンワイヤが接続されているため、第１、第２の信号ワイヤ接続用部分及びドレンワイヤ接続用部分が変形してしまう虞れのない状態で、ワイヤの接続を安定に行うことが出来る。
【発明を実施するための最良の形態】
【００１３】
次に本発明の実施の形態について説明する。
【実施例１】
【００１４】
図４は本発明の実施例１になる平衡伝送用ケーブルコネクタ５０を分解して示す。図５（Ａ），（Ｂ）は平衡伝送用ケーブルコネクタ５０のうち平衡伝送用ケーブル２０の先端がコンタクト組立体６０に直接に接続されている状態を示す。図６は平衡伝送用ケーブル２０の先端をコンタクト組立体６０に対して分解して示す。図７は平衡伝送用ケーブルコネクタ５０を信号コンタクト部材の場所で断面して示す図、図８はグランドコンタクト部材の場所で断面して示す図、図９はロックアーム部材の場所で断面して示す図である。図１０は平衡伝送用ケーブルコネクタ５０のコンタクト組立体６０の部分の横断平面図である。各図中、Ｘ１−Ｘ２、Ｙ１−Ｙ２、Ｚ１−Ｚ２は夫々平衡伝送用ケーブルコネクタ５０の幅方向、長手方向、高さ方向である。Ｙ１は背面方向（平衡伝送用ケーブル２０の側）、Ｙ２は前方（接続するときに差し込む方向）である。
【００１５】
図４及び図５に示すように、平衡伝送用ケーブルコネクタ５０は、コンタクト組立体５１と、コンタクトの位置を規制するスペーサ部材６０と、コンタクト組立体５１及びスペーサ部材６０を囲むシールドカバー組立体８０と、平衡伝送用ケーブル２０と、フード１００と、アウタカバー１１０とを有する構成である。
［コンタクト組立体５１］
コンタクト組立体５１は、ブロック体５２に、対をなす第１、第２の信号コンタクト部材５３，５４と、グランドコンタクト部材５５とが、Ｘ方向に交互に並んで組み込まれており、更に、Ｘ方向の両端に一対のロックアーム部材５６，５７が組み込んである構成である。Ｘ方向上同じ位置で、第１の信号コンタクト５３はＺ１側、第２の信号コンタクト５４はＺ２側に位置している。
【００１６】
図４に示すように、ブロック体５２は、電気絶縁性合成樹脂製であり偏平な略直方体であり、コンタクト部材が挿入される多数の穴が規則的に並んで形成してあり直方体部５２ａと、この直方体部５２ａのＹ２側のＸ方向上両側にＹ２方向に突き出ている腕部５２ｂ，５２ｃを有する。この腕部５２ｂ，５２ｃの間は、空間部５２ｄとなっている。腕部５２ａ，５２ｂの対向する内側には、ガイド溝５２ｅ，５２ｆが形成してある。ガイド溝５２ｅの長さＬ１とガイド溝５２ｆの長さＬ２とは相違し、Ｌ１＞Ｌ２である。長さＬ１ａ，Ｌ２ａは、ブロック体５２のＹ２側の面５２ｋよりブロック体５２に内部に形成されているガイド溝の部分５２ｅ１，５２ｆ１の長さであり、Ｌ１ａ＞Ｌ２ａである。また、ブロック体５２のＸ１、Ｘ２側には、溝５２ｇ、５２ｈ及び穴５２ｉ、５２ｊが形成してある。
【００１７】
第１の信号コンタクト部材５３は、図１１（Ａ）乃至（Ｄ）に示すように、バルジ部を有する中央部５３ａと、Ｙ１側のコンタクト部５３ｂと、Ｙ２側の第１の信号ワイヤ接続用部分５３ｃとを有する。第１の信号ワイヤ接続用部分５３ｃは、断面がＬ字形状であり、水平板部５３ｃ１とＺ１方向に垂直の側板部５３ｃ２とを有する。また、第１の信号ワイヤ接続用部分５３ｃと中央部５３ａとの間にはクランク曲げ部５３ｄがあり、第１の信号ワイヤ接続用部分５３ｃは中央部５３ａに対して側板部５３ｃ２に垂直の方向であるＸ１方向に少し偏倚している。
【００１８】
第２の信号コンタクト部材５４は、図１２（Ａ）乃至（Ｄ）に示すように、バルジ部を有する中央部５４ａと、Ｙ１側のコンタクト部５４ｂと、Ｙ２側の第１の信号ワイヤ接続用部分５４ｃとを有する。第２の信号ワイヤ接続用部分５４ｃは、断面がＬ字形状であり、水平板部５４ｃ１とＺ２方向に垂直の側板部５４ｃ２とを有する。また、第２の信号ワイヤ接続用部分５４ｃと中央部５４ａとの間にはクランク曲げ部５４ｄがあり、第１の信号ワイヤ接続用部分５４ｃは中央部５４ａに対して側板部５４ｃ２に垂直の方向であるＸ１方向に少し偏倚している。
【００１９】
第１の信号コンタクト部材５３及び第２の信号コンタクト部材５４は、夫々、図７に示すように、ブロック体５２の孔５２ｐ、５２ｑにＹ２側から圧入されて組み込んである。
【００２０】
グランドコンタクト部材５５は、図１３（Ａ）乃至（Ｅ）に示すように、板状であって、グランドコンタクト部材５５に対してＸ方向上両側の信号コンタクト部材の間をシールドする。このグランドコンタクト部材５５は、バルジ部を有する中央部５５ａと、Ｙ１側のフォーク形状のコンタクト部５５ｂと、Ｙ２側の板状部５５ｃ及びドレンワイヤ接続用部分５５ｄと、Ｙ２側の端に切欠部５５ｅとを有する。ドレンワイヤ接続用部分５５ｄは、グランドコンタクト部材５５のＺ１端縁に、三つのラグ５５ｄ１、５５ｄ２、５５ｄ３を有し、この三つのラグ５５ｄ１、５５ｄ２、５５ｄ３がＸ１方向とＸ２方向とに交互に曲げられて、図１３（Ｄ）に示すように、Ｙ２側からみてＵ字を形成している構成である。
【００２１】
グランドコンタクト部材５５は、図８に示すように、ブロック体５２の孔５２ｓにＹ２側から圧入されて組み込んである。
【００２２】
第１の信号コンタクト部材５３、第２の信号コンタクト部材５４及びグランドコンタクト部材５５がブロック体５２に組み込まれた状態で、第１の信号ワイヤ接続用部分５３ｃ、第２の信号ワイヤ接続用部分５４ｃ、板状部５５ｃ及びドレンワイヤ接続用部分５５ｄが、空間部５２ｄ内で整列する。
【００２３】
ロックアーム部材５６は、図４、図９及び図１８（Ａ）に示すように、Ｙ２側にＵ字形状部５６ａを有し、Ｕ字形状部５６ａのうちＺ１側の部分からＹ１方向に延びている腕部５６ｂを有し、腕部５６ｂの先端にフック部５６ｃを有し、腕部５６ｂのＹ２側の部分に突起部５６ｄを有する。ロックアーム部材５６は、Ｕ字形状部５６ａの端を穴５２ｉに差し込んで固定されて、腕部５６ｂが溝５２ｇに嵌合した状態でブロック体５２に取り付けてある。ロックアーム部材５７は、ロックアーム部材５６と同じ形状であり、ブロック体５２に同様に取り付けてある。
［スペーサ部材６０］
スペーサ部材６０は、ワイヤ接続用部分が特にＸ１−Ｘ２方向に動かないようにその位置を規制するためのものであり、図１４及び図１５に示すように、電気絶縁性合成樹脂製の板状の部材であり、第１、第２の溝部６１，６２、スリット６３、及び突き出し腕部６７，６８を有する。
【００２４】
第１の溝部６１は、第１の信号ワイヤ接続用部分５３ｃに対応する形状であり、スペーサ部材６０のＺ１側の面に形成してあり、Ｙ方向に長くスペーサ部材６０の全長に亘っている。
【００２５】
第２の溝部６２は、第２の信号ワイヤ接続用部分５４ｃに対応する形状であり、スペーサ部材６０のＺ２側の面に形成してあり、Ｙ方向に長くスペーサ部材６０の全長に亘っている。
【００２６】
第１の信号ワイヤ接続用部分５３とｃと第２の信号ワイヤ接続用部分５４ｃとは、同じ寸法形状であり、Ｘ方向上同じ位置に位置している。
【００２７】
スリット６３は、グランドコンタクト部材５５の板状部５５ｃに対応する形状であり、隣り合う溝部６１の間及び隣り合う溝部６２の間に、Ｙ１側から切り込んで形成してある。６４は非スリット部であり、グランドコンタクト部材５５の切欠部５５ｅに対応する大きさであり、スリット６３の端とスペーサ部材６０のＹ２側の面６５との間に存在している。
【００２８】
突き出し腕部６７はスペーサ部材６０のＸ１側よりＹ１方向に寸法Ｌ１ｂ突き出ている。突き出し腕部６８はスペーサ部材６０のＸ２側よりＹ１方向に寸法Ｌ２ｂ突き出ている。腕部６７の長さＬ１ｂと腕部６８の長さＬ２ｂとは相違し、Ｌ１ｂ＞Ｌ２ｂである。
【００２９】
上記形状のスペーサ部材６０は、図１４に示すように、第１の信号コンタクト部材５３、第２の信号コンタクト部材５４及びグランドコンタクト部材５５がブロック体５２に組み込まれて第１の信号ワイヤ接続用部分５３ｃ、第２の信号ワイヤ接続用部分５４ｃ、板状部５５ｃ及びドレンワイヤ接続用部分５５ｄが空間部５２ｄ内に突き出て整列している状態で、腕部６７、６８を先頭にしてガイド溝５２ｅ，５２ｆに嵌合させて案内されてＹ１方向に最終位置まで挿入することによって取り付けられる。腕部６７、６８がブロック体５２に内部に形成されているガイド溝の部分に嵌合していることによって、スペーサ部材６０の両端側が腕部５２ｃ，５２ｂに嵌合して支持されてブロック体５２に取り付けられている状態に比較して、スペーサ部材６０は強固にブロック体５２に取り付けられる。
【００３０】
図６はスペーサ部材６０が取り付けられた状態を示す。第１の信号ワイヤ接続用部分５３ｃは溝部６１と嵌合しており、Ｘ１−Ｘ２方向及びＺ２方向について位置を規制されている。第２の信号ワイヤ接続用部分５４ｃは溝部６２と嵌合しており、Ｘ１−Ｘ２方向及びＺ１方向について位置を規制されている。グランドコンタクト部材５５のうちの空間部５２ｄ内に突き出ている部分については、図１０に示すように、板状部５５ｃがスリット６３内に嵌合しており、図８に示すように、切欠部５５ｅが非スリット部６４と係合しており、ドレンワイヤ接続用部分５５ｄは、Ｘ１−Ｘ２方向及びＺ１−Ｚ２方向について位置を規制されている。よって、グランドコンタクト部材５５の板状部５５ｃ及びドレンワイヤ接続用部分５５ｄが信号ワイヤ接続用部分５３ｃ、５４ｃと接触してしまうことは起きない。
【００３１】
また、ブロック体５２に内部に形成されているガイド溝の部分の長さがＬ１ａ＞Ｌ２ａであり、腕部６７の長さＬ１ｂと腕部６８の長さＬ２ｂとがＬ１ｂ＞Ｌ２ｂであることによって、スペーサ部材６０は左右が反対の向きでは途中までしか挿入できず、間違った姿勢での取り付けは制限される。即ち、スペーサ部材６０のブロック体５２への取り付けを強固にする構造の部分を利用して、間違った姿勢での取り付けを制限するようにしている。
［ペア電線２１の接続］
図６に示すように、ペア電線２１の端からは、第１、第２の被覆信号ワイヤ２２−１、２２−２とドレンワイヤ２５とが延びており、第１、第２の被覆信号ワイヤ２２−１、２２−２の先端は処理されて芯線である第１、第２の信号ワイヤ２３−１、２３−２が裸にされて露出している。第１、第２の信号ワイヤ２３−１、２３−２がペア線を構成する。
【００３２】
図５（Ａ）及び図７に示すように、第１の信号ワイヤ２３−１は第１の溝部６１によって位置を規制されている第１の信号ワイヤ接続用部分５３ｃに半田付けされて接続してあり、第２の信号ワイヤ２３−２は第２の溝部６２によって位置を規制されている第２の信号ワイヤ接続用部分５４ｃに半田付けされて接続してある。図５及び図８に示すように、ドレンワイヤ２５はスリット６３によって位置を規制されているドレンワイヤ接続用部分５５ｄに半田付けされて接続してある。７０は半田である。ここで、図５（Ｂ）に示すように、第１、第２の信号ワイヤ接続用部分５３ｃ、５４ｃはＬ字形でありコーナ部を有する形状であるため、第１、第２の信号ワイヤ２３−１、２３−２は第１、第２の信号ワイヤ接続用部分５３ｃ、５４ｃの内でも内側のコーナ部に押し当てられて位置を一義的に決められた状態で半田付けされている。ドレンワイヤ接続用部分５５ｄはＵ字形であるため、ドレンワイヤ２５はドレンワイヤ接続用部分５５ｄ内に押し当てられて位置を一義的に決められた状態で半田付けされている。
【００３３】
このように、第１、第２の信号ワイヤ２３−１、２３−２が、中継基板を介さないで、第１、第２の信号コンタクト部材５３、５４に直接に接続してあるため、平衡伝送用ケーブルコネクタ５０は従来の平衡伝送用ケーブルコネクタに比較してクロストーク特性が改善されている。
【００３４】
なお、上記の半田付けに代えて溶接等の他の接続方向を採用してもよい。
【００３５】
また、図５（Ｂ）は、Ｙ２側から見て、半田付けされた信号ワイヤ２３−１、２３−２の夫々コンタクト部５３ｂ、５４ｂに対する位置関係、及びドレンワイヤ２５のコンタクト部５５ｂに対する位置関係を示す。第１の信号ワイヤ接続用部分５３ｃはクランク曲げ部５３ｄによって中央部５３ａに対してＸ１方向に少し偏倚しているため、半田付けされた第１の信号ワイヤ２３−１はＹ１−Ｙ２方向上コンタクト部５３ｂと整列している。即ち、半田付けされた第１の信号ワイヤ２３−１の中心線とコンタクト部５３ｂの中心線とは一致している。同じく、第２の信号ワイヤ接続用部分５４ｃはクランク曲げ部５４ｄによって中央部５４ａに対してＸ１方向に少し偏倚しているため、半田付けされた第２の信号ワイヤ２３−２はＹ１−Ｙ２方向上コンタクト部５４ｂと整列している。即ち、半田付けされた第１の信号ワイヤ２３−２の中心線とコンタクト部５４ｂの中心線とは一致している。また、ドレンワイヤ接続用部分５５ｄはＵ字形であるため、ドレンワイヤ２５はＹ１−Ｙ２方向上コンタクト部５５ｂと整列している。
【００３６】
図７及び図８中、７１は封止合成樹脂部であり、合成樹脂をポッティングして空間部５２ｄのうち空いている部分を埋めており、第１、第２の信号ワイヤ２３−１、２３−２及びドレンワイヤ２５、及び、第１、第２の信号ワイヤ接続用部分５３ｃ、５４ｃ及びドレンワイヤ接続用部分５５ｄを覆っている。この封止合成樹脂部７１によって、スペーサ部材６０はブロック体５２に固定してあり、更に、第１、第２の信号ワイヤ接続用部分５３ｃ、５４ｃ、ドレンワイヤ接続用部分５５ｄ、第１、第２の信号ワイヤ２３−１、２３−２及びドレンワイヤ２５をブロック体５２に固定されている。この封止合成樹脂部７１によって、第１、第２の信号ワイヤ２３−１、２３−２の第１、第２の信号ワイヤ接続用部分５３ｃ、５４ｃへの接合の強度及びレンワイヤ２５のドレンワイヤ接続用部分５５ｄへの接合の強度が高められている。
［シールドカバー組立体８０］
図４及び図７乃至図９に示すように、シールドカバー組立体８０は、Ｚ１側の第１のシールドカバー８１と、Ｚ２側の第２のシールドカバー９０とが組み合わされた構成である。第１、第２のシールドカバー８１、９０は、共に金属板のプレス成形部品であり、組み合わされてコンタクト組立体５１及びスペーサ部材６０を囲んでいる。
【００３７】
なお、フック部５６ｃ、５７ｃ及び突起部５６ｄ、５７ｄが第１のシールドカバー８１の開口を通してＺ１側に突き出ている。
【００３８】
第１のシールドカバー８１には、Ｚ１方向に突き出した突起部８２，８３が形成してある。
【００３９】
また、第１のシールドカバー８１のＹ２端側のリング部８５が平衡伝送用ケーブル２０の端をクランプしている。
［フード１００及びアウタカバー１１０］
図４に示すように、コネクタの根元を補強するフード１００は、軟質の合成樹脂製であり、Ｙ１端にＸ１及びＸ２方向に羽根状に張り出した張り出し部１０１，１０２を有する。
【００４０】
同じく、図４に示すように、アウタカバー１１０は、軟質の単一の合成樹脂成形部品であり、Ｙ１側が開口である略箱形状であり、Ｚ１側の面に、フラップ状の操作部１１１を有し、操作部１１１のＹ１側に切欠部１１２，１１３を有する。
【００４１】
フード１００及びアウタカバー１１０を平衡伝送用ケーブル２０に嵌合させた状態とする。即ち、平衡伝送用ケーブル２０をフード１００及びアウタカバー１１０を通した状態とする。
【００４２】
先ず、フード１００を平衡伝送用ケーブル２０に沿って移動させて第１のシールドカバー８１のリング部８５の近くに位置させ、続いて、アウタカバー１１０を平衡伝送用ケーブル２０に沿って移動させて、Ｙ２側からシールドカバー組立体８０に嵌合させて、図１６に示すように、これを覆うようにする。これによって、平衡伝送用ケーブルコネクタ５０が完成する。
【００４３】
シールドカバー組立体８０は、図７及び図１６に示すように、切欠部１１２，１１３が突起部８２，８３と係合して、Ｙ２方向への抜け出しが制限された状態となる。図１７に示すように、張り出し部１０１，１０２がアウタカバー１１０によって係止され、フード１００はＹ２方向への抜け出しが制限されている。
【００４４】
また、図９に示すように、操作部１１１が突起部５６ｄ、５７ｄの真上に位置している。操作部１１１を押し付けると、腕部５６ｂ、５７ｂが撓まされて、フック部５６ｃ、５７ｃが沈み込む。
【００４５】
なお、第１の信号コンタクト部材５３をそのＹ２側にコンタクトを有し、第２の信号コンタクト部材５４をそのＹ２側にコンタクトを有し、グランドコンタクト部材５５をそのＹ２側にフォーク形状のコンタクトを有する形状とし、スペーサ部材６０に代えて、中継基板をガイド溝５２ｅ，５２ｆに嵌合させつつ挿入して取り付けることも可能である。
［ロックアーム部材５６のフック部５６ｃ］
図１８（Ｂ）に示すように、フック部５６ｃは、そのＹ２側の縁５６ｅがＹ軸線に対する角度αが鋭角となる形状を有する。換言すれば、係止する側の縁５６ｅは平衡伝送用ケーブルコネクタ５０の先端の側とは逆の方向に傾斜している。
【００４６】
平衡伝送用ケーブルコネクタ５０は、機器側のコネクタに接続され、フック部５６ｃが機器側のコネクタのスリットと嵌合してロックされる。角度αが鋭角であることによって、平衡伝送用ケーブルコネクタ５０の機器側の基板側コネクタ（図３２参照）に接続したときのロック状態の保持力は高い。
【００４７】
図１８（Ｃ）、（Ｄ）は別のフック部５６ｃＡ，５６ｃＢを示す。フック部５６ｃＡは、破線で重ねて示すフック部５６ｃに比較して、Ｙ１方向の厚みを増やした形状である。フック部５６ｃＢは、フック部５６ｃに比較して、Ｚ２方向の厚みを増やした形状である。このフック部５６ｃＡ，５６ｃＢは、フック部５６ｃに比較して、強度が高い。
【実施例２】
【００４８】
図１９（Ｃ）は本発明の実施例２になる平衡伝送用ケーブルコネクタ５０Ａを示す。平衡伝送用ケーブルコネクタ５０Ａは、合成樹脂をポッティングすることによって形成されたアウタカバー１１０Ａ及びフード１００Ａを有し、且つ、補強板部材２００によって補強された操作部１１１Ａを有する構成である。
【００４９】
この平衡伝送用ケーブルコネクタ５０Ａは、以下の手順で製造される。
【００５０】
先ず、シールドカバー組立体８０でもってコンタクト組立体５１及びスペーサ部材６０を囲んで且つリング部８５で平衡伝送用ケーブル２０の端をクランプして、ケーブルコネクタ本体１９０Ａを組み立てる。これは、前記実施例１の平衡伝送用ケーブルコネクタ５０を組み立てる場合と同じである。
【００５１】
次いで、図１９（Ａ）に示すように、上記のケーブルコネクタ本体１９０Ａに、補強板部材２００を突起部５６ｄ、５７ｄを覆うようセットし、且つ、Ｕ字スリット形成用の部品２１０を補強板部材２００に沿ってセットし、更に、他の仕切り用部品をセットする。
【００５２】
次いで、図１９（Ｂ）に示すように、シールドカバー組立体８０を覆うように合成樹脂をポッティングして、アウタカバー１１０Ａ及びフード１００Ａを一体的に形成する。アウタカバー１１０Ａはケーブルコネクタ本体１９０Ａを覆うように形成され、フード１００Ａはリング部８５を覆うように形成される。
【００５３】
最後に、図１９（Ｃ）に示すように、Ｕ字スリット形成用部品２１０を取外す。これによって、操作部１１１Ａの周囲にＵ字スリット２２０が表れ、補強板部材２００によって補強された操作部１１１Ａが形成される。
【実施例３】
【００５４】
図２０（Ｃ）及び図２１は本発明の実施例３になる平衡伝送用ケーブルコネクタ５０Ｂを示す。平衡伝送用ケーブルコネクタ５０Ｂは、アウトサート成形によって形成されたアウタカバー１１０Ｂ及びフード１００Ｂを有し、且つ、操作部材３００によって構成された操作部３０１を有する構成である。
【００５５】
図２０（Ａ）中、３００は板状の操作部材であり、Ｙ１側に操作部３０１を有し、Ｙ２側に二つの開口３０２，３０３を有する。また、シールドカバー組立体８０Ｂは、上面に二つの突起部３１２，３１３を有する。突起部３１２，３１３の高さ寸法ａは、操作部材３００の厚さｔよりも小さい（図２１参照）。
【００５６】
この平衡伝送用ケーブルコネクタ５０Ｂは、以下の手順で製造される。
【００５７】
先ず、ケーブルコネクタ本体１９０Ｂを組み立てる。図２０（Ｂ）に示すように、操作部材３００を、その開口３０２，３０３を突起部３１２，３１３に嵌合させて位置を決めて、シールドカバー組立体８０Ｂ上に、突起部５６ｄ、５７ｄを覆うようセットする。
【００５８】
次いで、これを、成形金型内にセットし、アウトサート成形を行なう。アウトサート成形によって、図２０（Ｃ）によって、アウタカバー１１０Ｂ及びフード１００Ｂが一体的に形成される。アウタカバー１１０Ｂはケーブルコネクタ本体１９０Ｂを覆うように形成され、フード１００Ａはリング部８５を覆うように形成される。
【００５９】
アウトサート成形されたものを、成形金型から取り出すと、平衡伝送用ケーブルコネクタ５０Ｂが完成する。
【００６０】
アウトサート成形は、操作部材３００の操作部３０１の上面及び操作部３０１の縁に沿う部分については、樹脂で覆わないようにして行なわれる。図２１中、アウタカバー１１０Ｂのうち符号１１０Ｂａで示す部分が操作部材３００のうちＹ２側の部分を覆っており、更に、符号１１０Ｂｂで示す部分が開口３０２，３０３内を埋めている。操作部材３００は、上記の樹脂部分１１０Ｂａ、１１０Ｂｂによって、シールドカバー組立体８０Ｂ上に固定される。
【実施例４】
【００６１】
図２２は本発明の実施例４になる平衡伝送用ケーブルコネクタ５０Ｃを分解して示す。図２３（Ａ），（Ｂ）は平衡伝送用ケーブルコネクタ５０Ｃを異なる向きで示す斜視図である。図２４（Ａ），（Ｂ）は平衡伝送用ケーブルコネクタ５０Ｃをそのシールドカバー組立体８０Ｂを取外した状態で示す。
【００６２】
平衡伝送用ケーブルコネクタ５０Ｃは、上記の実施例３の平衡伝送用ケーブルコネクタ５０Ｂ、即ち、アウタカバー１１０Ｂ及びフード１００Ｂをアウトサート成形によって形成してなる平衡伝送用ケーブルコネクタ５０Ｂにおいて、アウトサート成形のときに合成樹脂がシールドカバー組立体８０Ｂの内部に流れ込むことを防ぐためのインナーキャップ４００を設けた構成である。
【００６３】
ここで、シールドカバー組立体８０ＢはＹ２側に平衡伝送用ケーブルが通るための穴を有していることから、アウトサート成形のときの合成樹脂のシールドカバー組立体８０Ｂの内部への流れ込みは、Ｙ２側で起き易い。そこで、後述するように、インナーキャップ４００はシールドカバー組立体８０Ｂ内のうちＹ２側に設けてある。
【００６４】
図２５はインナーキャップ４００を示す。インナーキャップ４００は、図２６に示すように、共に合成樹脂成形部品であるＺ１側の第１のインナーキャップハーフ４０１と、Ｚ２側の第２のインナーキャップハーフ４１０とが組み合わされた構成であり、シールドカバー組立体８０Ｂの内部のうちＹ２端の部分、即ち、平衡伝送用ケーブル２０がシールドカバー組立体８０Ｂ内に入り込んでいる部位に設けてあり、シールドカバー組立体８０ＢのＹ２端の隙間を塞いでいる。
【００６５】
第２のインナーキャップハーフ４１０は、略Ｕ字形状であり、ベース部４１１と、このベース部４１１のＸ１−Ｘ２側の近く部分の立ち上り部４１２，４１３とを有する。立ち上り部４１２，４１３の間は空間部４１４である。ベース部４１１のＸ１−Ｘ２側の端面に突起部４１５が形成してある。立ち上り部４１２，４１３のＹ１側には、中継基板１２（図２参照）と嵌合する凹部４１６，４１７が形成してある（図２５参照）。
【００６６】
第１のインナーキャップハーフ４０１は、天板部４０２と、Ｘ１−Ｘ２側の側板部４０３，４０４と、Ｙ２側の背板部４０５とを有する形状である。側板部４０３，４０４は、途中に段部４０３ａ，４０４ａを有し、Ｚ２端に切欠部４０３ｂ，４０４ｂを有し、外面に、リブ４０３ｃ、４０３ｄ，４０４ｃ、４０４ｄを有する。背板部４０５には、略半円形状の窓部４０５ｂが形成してある。
【００６７】
切欠部４０３ｂ，４０４ｂと前記の突起部４１５とは圧入されて嵌合するように形成してある。リブ４０３ｃとリブ４０３ｄ、及びリブ４０４ｃとリブ４０４ｄとは共にＺ１−Ｚ２方向に直線上に並んで延在して、側板部４０３，４０４の全高に亘っている。リブ４０３ｃ、リブ４０４ｃは、第２のシールドカバー９０Ｂの内面と圧接するように形成してある。リブ４０３ｄ、リブ４０４ｄは、第１のシールドカバー８０Ｂの内面と圧接するように形成してある、
平衡伝送用ケーブルコネクタ５０Ｃは、ケーブルコネクタ本体１９０Ｃを組み立て、これに対してアウトサート成形を行なって、アウタカバー１１０Ｂ及びフード１００Ｂを形成することによって製造される。
【００６８】
ケーブルコネクタ本体１９０Ｃは、例えば、第１のシールドカバー８１Ｂの内部に第１のインナーキャップハーフ４０１を押し込んで組み込み（図２７（Ｂ）参照）、平衡伝送用ケーブル２０の端と接続された状態のコンタクト組立体５１を第１のインナーキャップハーフ４０１内に組み込み、第２のインナーキャップハーフ４１０を第１のインナーキャップハーフ４０１と組み合わせインナーキャップ４００を組み立て、その後に、第２のシールドカバー９０Ｂを第２のインナーキャップハーフ４１０を覆って且つ第１のシールドカバー８１と嵌合させて組み合わせ、最後に、平衡伝送用ケーブル２０の端をリング部８５でクランプする手順で組み立てられる。
【００６９】
上記のケーブルコネクタ本体１９０Ｃの組み立ての途中において、第２のインナーキャップハーフ４１０は、切欠部４０３ｂ，４０４ｂが突起部４１５に圧入されて嵌合して容易には分離されない状態とされる。よって、クランプされる前の平衡伝送用ケーブル２０はインナーキャップ４００によって仮り止めされ、ケーブルコネクタ本体１９０Ｃの組み立てはし易い。
【００７０】
図２８（Ａ），（Ｂ），（Ｃ）はインナーキャップ４００のＸ１及びＸ２側とシールドカバー組立体８０Ｂとの間の隙間が塞がれている状態を示す。図２８（Ａ）はケーブルコネクタ本体１９０ＣをそのＹ２側から見た図である。図２８（Ｂ），（Ｃ）は夫々図２８（Ａ）中、Ｂ−Ｂ，Ｃ−Ｃ線に沿う断面図である。
【００７１】
インナーキャップ４００のＸ１及びＸ２側と第２のシールドカバー９０Ｂの両側の側板９６との隙間４４０は、図２８（Ａ），（Ｃ）に示すように、リブ４０４ｃが第２のシールドカバー９０Ｂの両側の側板９６の内面に圧接して塞がれている。インナーキャップ４００のＸ１及びＸ２側と第１のシールドカバー８１Ｂの両側の側板８６との隙間４３０は、図２８（Ａ），（Ｂ）に示すように、リブ４０４ｄが第１のシールドカバー８１Ｂの両側の側板８６の内面に圧接して塞がれている。また、空間部４１４は複数のペア電線２１で占められている。
【００７２】
よって、インナーキャップ４００が存在することによって、アウトサート成形のときに合成樹脂がＹ２側からシールドカバー組立体８０Ｂの内部に流れ込むことが防止される。
【００７３】
また、図２５及び図２８（Ａ）に示すように、インナーキャップ４００の内部のＸ１側とＸ２側には、空間部４２１，４２２が形成してある。この空間部４２１，４２２内には、図２３（Ｂ）に示すように、ロックアーム部材５６、５７のＵ字形状部５６ａが収まっている。
【００７４】
図２９は中継基板１２（図２参照）を使用した場合のケーブルコネクタ本体１９０Ｄを示す。中継基板１２は、そのＹ２側の縁を立ち上り部４１２，４１３の凹部４１６，４１７に嵌合させて支持される。
【実施例５】
【００７５】
図３０（Ａ），（Ｂ）は本発明の実施例５になる平衡伝送用ケーブルコネクタ５０Ｄの一部を示す。
【００７６】
コンタクト組立体５１Ｄは、ブロック体５２に、第１の信号コンタクト部材５３、第２の信号コンタクト部材５４、グランドコンタクト部材５５、グランドコンタクト部材５５Ｄが、第１、第２の信号コンタクト部材５３、５４の両側にグランドコンタクト部材が配置されるように並んでいる構成である。
【００７７】
グランドコンタクト部材について見ると、グランドコンタクト部材５５とグランドコンタクト部材５５Ｄとが交互に並んでいる。グランドコンタクト部材５５は、Ｚ１側にドレンワイヤ接続用部分５５ｄを有し、グランドコンタクト部材５５Ｄは、Ｚ２側にドレンワイヤ接続用部分５５Ｄｄを有する。
【００７８】
よって、図３０（Ｂ）に示すように、ドレンワイヤ接続用部分５５ｄとドレンワイヤ接続用部分５５Ｄｄとが交互に千鳥状に配置され、ドレンワイヤ接続用部分５５ｄだけが並んでいる構成に比較して、Ｘ方向上隣接するドレンワイヤ接続用部分の間の間隔ＬＸが二倍に広がり、ペア電線２１の端のドレインドレンワイヤのドレンワイヤ接続用部分への半田付け作業はし易くなる。
【実施例６】
【００７９】
図３１は本発明の実施例６になる基板側コネクタ５００を、コネクタ本体５０１と金属ガスケット５３０とシールド部材５４０とに分解した状態で示す。図３２はコネクタ本体５０１のＹ２側の部分を、金属ガスケット５３０と併せて示す。図３３は基板側コネクタ５００がプリント回路基板５５０上に実装された状態を示す。
【００８０】
図３１乃至図３３に示すように、基板側コネクタ５００は、コネクタ本体５０１に、金属ガスケット５３０とシールド部材５４０とが取り付けられた構成であり、プリント回路基板５５０の縁の部分に実装されて電子機器の内部に組み込まれて使用され、前記の平衡伝送用ケーブルコネクタ５０、５０Ａ〜５０Ｄが接続されて使用される。
【００８１】
コネクタ本体５０１は、コンタクト組立体５０２がシールドボディ５１０内に組み込まれている構成であり、ライトアングル型である。
【００８２】
コンタクト組立体５０２は、電気絶縁性のブロック体５０３に、第１、第２の信号コンタクト部材５０４，５０５とグランドコンタクト部材５０６とが並んで組み込んである構成である。
【００８３】
シールドボディ５１０は、金属板製であり、コンタクト組立体５０２の殻となる形状であり、コンタクト組立体５０２を囲んでおり、プリント回路基板の穴に差し込まれる脚部５１１を有する。
【００８４】
平衡伝送用ケーブルコネクタ５０との関係では、シールドボディ５１０は、板ばね部５１２とスリット５１３とを有する。板ばね部５１２は、接続された平衡伝送用ケーブルコネクタ５０のシールドカバー組立体８０と接触する。スリット５１３には、平衡伝送用ケーブルコネクタ５０が接続されたときに、フック部５６が嵌合して係止される。
【００８５】
金属ガスケット５２０との関係では、シールドボディ５１０は、Ｙ２側の開口の縁より上下左右側に張り出したフランジ部５１４〜５１７を有し、このうち、上下側のフランジ部５１４、５１５には、左右側に、スリット５１８が形成してある。
【００８６】
シールド部材５４０との関係では、シールドボディ５１０は、左右側の側板部に、スリット５１９を有する。
【００８７】
金属ガスケット５３０は、金属板製であり、長方形の枠部５３１よりなる。枠部５３１のうち、上辺部５３２と下辺部５３３とには、複数の板ばね状のコンタクト部５３４が形成してあり、且つ、ラグ５３５がＹ１方向に突き出して形成してある。ラグ５３５は、切り起こし部５３６を有する。
【００８８】
この金属ガスケット５３０は、ラグ５３５をスリット５１８に嵌合させ、図３３の一部に拡大して示すように、スリット５１８を通り抜けた切り起こし部５３６がフランジ部５１４、５１５の裏面を係止して外れない状態とされて、フランジ部５１４〜５１７の前面に取り付けてある。
【００８９】
図３１及び図３２に示すように、シールド部材５４０は、金属製であり、コネクタ本体５０１に対応する大きさの略箱形状であり、天板部５４１と、左右の側板部５４２，５４３と、Ｙ１側の背面板部５４４とを有する。側板部５４２，５４３の内側には突起部５４５を有する。このシールド部材５４０は、プリント回路基板５５０上に実装されたコネクタ本体５０１に対して取り付けられ、コネクタ本体５０１の上側、左右側、及び、背面側を覆う。
【００９０】
図３３は、金属ガスケット５３０を有するコネクタ本体５０１が実装され、且つ、シールド部材５４０が取り付けられたプリント回路基板５５０が、電子機器の内部に取り付けられた状態を示す。基板側コネクタ５００は、電子機器のパネル５６０の開口５６１の個所に配置してある。コンタクト部５３４は電子機器のパネル５６０の裏面に押し当って接触している。
【００９１】
よって、基板側コネクタ５００の使用状態で、シールド部材５４０は、シールドボディ５１０及び金属ガスケット５３０を介して電子機器のパネル５６０と電気的に接続されており、フレームグランド電位とされている。フレームグランド電位とされているシールド部材５４０がコネクタ本体５０１の上側、左右側、及び、背面側を覆っており、コンタクト組立体５０２は良好に遮蔽され、基板側コネクタ５００は良好なEMI(Electro-Magnetic  Interference)特性を有し、ノイズの放出が抑制され、また、外部からのノイズの影響も受け難い。
【図面の簡単な説明】
【００９２】
【図１】従来の平衡伝送用ケーブルコネクタの分解斜視図である。
【図２】図１の平衡伝送用ケーブルコネクタの断面図である。
【図３】平衡伝送用ケーブルの断面図である。
【図４】本発明の実施例１になる平衡伝送用ケーブルコネクタの分解斜視図である。
【図５】平衡伝送用ケーブルの先端がコンタクト組立体に直接に接続されている状態を示す斜視図である。
【図６】平衡伝送用ケーブルの先端をコンタクト組立体に対して分解して示す斜視図である。
【図７】平衡伝送用ケーブルコネクタを信号コンタクト部材の場所で断面して示す図である。
【図８】平衡伝送用ケーブルコネクタをグランドコンタクト部材の場所で断面して示す図である。
【図９】平衡伝送用ケーブルコネクタをロックアーム部材の場所で断面して示す図である。
【図１０】平衡伝送用ケーブルコネクタのコンタクト組立体の部分の横断平面図である。
【図１１】第１の信号コンタクト部材を示す図である。
【図１２】第２の信号コンタクト部材を示す図である。
【図１３】グランドコンタクト部材を示す図である。
【図１４】スペーサ部材をコンタクト組立体と対向させて示す斜視図である。
【図１５】スペーサ部材をブロック体と対向させて示す斜視図である。
【図１６】平衡伝送用ケーブルコネクタの先端側の部分を示す斜視図である。
【図１７】平衡伝送用ケーブルコネクタのフードの取り付け状態を示す図である。
【図１８】ロックアーム部材及びそのフック部を示す図である。
【図１９】本発明の実施例２になる平衡伝送用ケーブルコネクタを組み立て順に示す斜視図である。
【図２０】本発明の実施例３になる平衡伝送用ケーブルコネクタを組み立て順に示す斜視図である。
【図２１】図２０（Ｃ）の平衡伝送用ケーブルコネクタの断面図である。
【図２２】本発明の実施例４になる平衡伝送用ケーブルコネクタの分解斜視図である。
【図２３】本発明の実施例４になる平衡伝送用ケーブルコネクタを異なる向きで示す斜視図である。
【図２４】図２３の平衡伝送用ケーブルコネクタをそのシールドカバー組立体を取外した状態で示す斜視図である。
【図２５】インナーキャップを示す斜視図である。
【図２６】インナーキャップ及びシールドカバー組立体を分解して示す斜視図である。
【図２７】インナーキャップと第１のシールドカバーとを対応させて示す図である。
【図２８】インナーキャップとシールドカバー組立体との間の隙間が塞がれている状態を概略的に示す図である。
【図２９】中継基板を使用した場合のケーブルコネクタ本体を示す図である。
【図３０】本発明の実施例５になる平衡伝送用ケーブルコネクタの一部を示す図である。
【図３１】本発明の実施例６になる基板側コネクタを、コネクタ本体と金属ガスケットとシールド部材とに分解した状態で示す斜視図である。
【図３２】コネクタ本体のＹ２側の部分を、金属ガスケットと併せて示す斜視図である。
【図３３】基板側コネクタがプリント回路基板上に実装されて電子機器内に取り付けられている状態を示す図である。
【符号の説明】
【００９３】
２０  平衡伝送用ケーブル
２１  ペア電線
２２−１  第１の被覆信号ワイヤ
２２−２  第２の被覆信号ワイヤ
２３−１  第１の信号ワイヤ
２３−２  第２の信号ワイヤ
２５  ドレンワイヤ
５０、５０Ａ〜５０Ｄ  平衡伝送用ケーブルコネクタ
５１  コンタクト組立体
５２  ブロック体
５３  第１の信号コンタクト部材
５３ｂ  コンタクト部
５３ｃ  第１の信号ワイヤ接続用部分
５３ｄ  クランク曲げ部
５４  第２の信号コンタクト部材
５４ｂ  コンタクト部
５４ｃ  第２の信号ワイヤ接続用部分
５４ｄ  クランク曲げ部
５５、５５Ｄ  グランドコンタクト部材
５５ｂ  コンタクト部
５５ｄ、５５Ｄｄ  ドレンワイヤ接続用部分
６０  スペーサ部材
６１  第１の溝部
６２  第２の溝部
６３  スリット
６７，６８  突き出し腕部
７０  半田
７１  封止合成樹脂部
８０、８０Ｂ  シールドカバー組立体
８１、８１Ｂ  第１のシールドカバー
９０、９０Ｂ  第１のシールドカバー
１００、１００Ａ，１００Ｂ  フード
１１０、１１０Ａ、１１０Ｂ  アウタカバー
１１１Ａ、３０１  操作部
１９０、１９０Ａ、１９０Ｂ、１９０Ｃ  ケーブルコネクタ本体
２００  補強板部材
３００  操作部材
４００  インナーキャップ
４０１  第１のインナーキャップハーフ
４０３ｃ，４０４ｄ  リブ
４１０  第２のインナーキャップハーフ
５００  基板側コネクタ
５０１  コネクタ本体
５３０  金属ガスケット
５４０  シールド部材
５５０  プリント回路基板
【図１】
0004664201.tif 000002
【図２】
0004664201.tif 000003
【図３】
0004664201.tif 000004
【図４】
0004664201.tif 000005
【図５】
0004664201.tif 000006
【図６】
0004664201.tif 000007
【図７】
0004664201.tif 000008
【図８】
0004664201.tif 000009
【図９】
0004664201.tif 000010
【図１０】
0004664201.tif 000011
【図１１】
0004664201.tif 000012
【図１２】
0004664201.tif 000013
【図１３】
0004664201.tif 000014
【図１４】
0004664201.tif 000015
【図１５】
0004664201.tif 000016
【図１６】
0004664201.tif 000017
【図１７】
0004664201.tif 000018
【図１８】
0004664201.tif 000019
【図１９】
0004664201.tif 000020
【図２０】
0004664201.tif 000021
【図２１】
0004664201.tif 000022
【図２２】
0004664201.tif 000023
【図２３】
0004664201.tif 000024
【図２４】
0004664201.tif 000025
【図２５】
0004664201.tif 000026
【図２６】
0004664201.tif 000027
【図２７】
0004664201.tif 000028
【図２８】
0004664201.tif 000029
【図２９】
0004664201.tif 000030
【図３０】
0004664201.tif 000031
【図３１】
0004664201.tif 000032
【図３２】
0004664201.tif 000033
【図３３】
0004664201.tif 000034